(57)【要約】【課題】複数の光源モジュールが一列に並べられたときに、複数の光源モジュール全体の明るさのムラを低減できる、光源モジュールを提供する。【解決手段】光源モジュール２２は、基板２２１と、複数の第１光源２２０と、１つの第２光源２２４と、を備えている。複数の第１光源２２０は、基板２２１の一方の主面２２１ｄに設けられ、基板２２１の長手方向Ｈ１に沿って並んでいる。第２光源２２４は、一方の主面２２１ｄにおける長手方向Ｈ１の縁部２２１ｆに設けられている。複数の第１光源２２０の光軸Ａ１は、基板２２１における厚さ方向の両外側のうち一方の主面２２１ｄの側の外側に向けられている。第２光源２２４の光軸Ａ３は、基板２２１における長手方向Ｈ１の両外側のうちの縁部２２１ｆの側の外側に向けられている。【選択図】図３
2020119869.tif 000002
【特許請求の範囲】
【請求項１】
基板と、
前記基板の一方の主面に設けられ、前記基板の長手方向に沿って並んだ複数の第１光源と、
前記一方の主面における前記長手方向の縁部に設けられた１つ以上の第２光源と、を備え、
前記複数の第１光源の光軸は、前記基板における厚さ方向の両外側のうち前記一方の主面の側の外側に向けられ、
前記第２光源の光軸は、前記基板における前記長手方向の両外側のうちの前記縁部の側の外側に向けられている、
光源モジュール。
【請求項２】
前記基板の前記縁部は、他の光源モジュールにおける複数の光源が設けられた基板に隣り合わされる、
請求項１に記載の光源モジュール。
【請求項３】
前記第２光源の光軸は、前記基板の前記厚み方向における平面視で、前記基板の長手方向に平行である、
請求項１又は２に記載の光源モジュール。
【請求項４】
前記第２光源の光軸は、前記基板の前記厚み方向における平面視で、前記基板の前記長手方向に交差する、
請求項１又は２に記載の光源モジュール。
【請求項５】
前記第２光源は、前記一方の主面における前記基板の短手方向の中央に配置されている、
請求項１〜４の何れか１項に記載の光源モジュール。
【請求項６】
前記複数の第１光源は、前記基板の前記厚み方向における平面視で、前記基板の長手方向に延びた仮想の直線に沿って並んでおり、
前記第２光源は、前記基板の平面視で、前記仮想の直線から、前記仮想の直線に直交する方向にずれた位置に配置されている、
請求項１〜５の何れか１項に記載の光源モジュール。
【請求項７】
外部からの配線が電気的に接続可能な接続部を更に備え、
前記接続部は、前記一方の主面の前記縁部に設けられ、
前記第２光源の光軸は、前記接続部に交わらない方向に向いている、
請求項１〜６の何れか１項に記載の光源モジュール。
【請求項８】
複数の光源モジュールを備え、
前記複数の光源モジュールのうちの少なくとも１つは、請求項１〜７の何れか１項に記載の光源モジュールであり、
前記複数の光源モジュールの各々は、
前記基板と、
前記複数の第１光源と前記第２光源とのうちの少なくとも前記複数の第１光源と、を備え、
前記複数の光源モジュールの各々の前記基板は、前記基板の長手方向に沿って並んでいる、
光源ユニット。
【請求項９】
前記複数の光源モジュールのうちの少なくとも１組の隣り合う光源モジュールにおける隣り合う前記縁部にはそれぞれ、前記第２光源が設けられている、
請求項８に記載の光源ユニット。
【請求項１０】
前記隣り合う光源モジュールの各々の前記第２光源は、前記基板の長手方向に沿って互いに隣り合っている、
請求項９に記載の光源ユニット。
【請求項１１】
前記複数の第１光源は、前記基板の厚さ方向における平面視で、前記基板の長手方向に延びた仮想の直線に沿って並んでおり、
前記隣り合う光源モジュールの各々の前記第２光源は、前記基板の平面視で、前記仮想の直線から、前記仮想の直線に直交する方向における互いに反対方向にずれた位置に配置されている、
請求項９に記載の光源ユニット。
【請求項１２】
前記隣り合う光源モジュールの各々の前記第２光源は、互いに鏡像対称となるように配置されているか、又は、前記隣り合う光源モジュールの間の中心を通りかつ前記基板の法線に平行な仮想の直線に対して軸対称に配置されている、
請求項９に記載の光源ユニット。
【請求項１３】
請求項８〜１２の何れか１項に記載の光源ユニットと、
前記光源ユニットを支持する器具本体と、を備える
照明器具。
【発明の詳細な説明】
【技術分野】
【０００１】
本開示は、一般に、光源モジュール、光源ユニット及び照明器具に関し、より詳細には、一列に並んだ複数の光源を備えた光源モジュール、前記光源モジュールを複数備えた光源ユニット、及び前記光源ユニットを備えた照明器具に関する。
【背景技術】
【０００２】
特許文献１に記載の照明器具は、複数のモジュール（光源モジュール）を備えている。各モジュールは、複数のＬＥＤ（light emitting diode）と基板とを有する。複数のＬＥＤは、基板の実装面において、基板の長手方向に沿って等間隔に配置されている。すなわち、複数のＬＥＤは、一番端のＬＥＤと、一番端のＬＥＤ以外の他のＬＥＤとを含む。複数のモジュールは、基板の長手方向に沿って一列に並んでいる。
【先行技術文献】
【特許文献】
【０００３】
【特許文献１】特開２０１３−２２９２７６
【発明の概要】
【発明が解決しようとする課題】
【０００４】
特許文献１に記載の照明器具では、隣り合うモジュールにおける隣り合う一番端のＬＥＤの間隔は、各モジュール内の隣り合うＬＥＤの間隔よりも大きくなる傾向がある。これにより、隣り合うモジュールの間の部分の光束密度は、各モジュール内の光束密度よりも小さくなる。この結果、照明器具の明るさにムラが生じる。
【０００５】
本開示は、複数の光源モジュールが一列に並べられたときに、複数の光源モジュール全体の明るさのムラを低減できる光源モジュール、光源ユニット及び照明器具を提供することを目的とする。
【課題を解決するための手段】
【０００６】
本開示の一態様に係る光源モジュールは、基板と、複数の第１光源と、１つ以上の第２光源と、を備えている。前記複数の第１光源は、前記基板の一方の主面に設けられ、前記基板の長手方向に沿って並んでいる。前記第２光源は、前記一方の主面における前記長手方向の縁部に設けられている。前記複数の第１光源の光軸は、前記基板における厚さ方向の両外側のうち前記一方の主面の側の外側に向けられている。前記第２光源の光軸は、前記基板における前記長手方向の両外側のうちの前記縁部の側の外側に向けられている。
【０００７】
本開示の一態様に係る光源ユニットは、複数の光源モジュールを備えている。前記複数の光源モジュールのうちの少なくとも１つは、上記の一態様の光源モジュールである。前記複数の光源モジュールの各々は、前記基板と、前記複数の第１光源と前記第２光源とのうちの少なくとも前記複数の第１光源と、を備えている。前記複数の光源モジュールの各々の前記基板は、前記基板の長手方向に沿って並んでいる。
【０００８】
本開示の一態様に係る照明器具は、上記の一態様の光源ユニットと、前記光源ユニットを支持する器具本体と、を備えている。
【発明の効果】
【０００９】
本開示によれば、複数の光源モジュールが一列に並べられたときに、複数の光源モジュール全体の明るさのムラを低減できる、という利点がある。
【図面の簡単な説明】
【００１０】
【図１】図１は、実施形態に係る照明器具の斜視図である。
【図２】図２は、同上の照明器具の分解斜視図である。
【図３】図３は、実施形態に係るＬＥＤモジュールの平面図である。
【図４】図４は、変形例１に係るＬＥＤモジュールの平面図である。
【図５】図５は、変形例２に係るＬＥＤモジュールの平面図である。
【図６】図６は、変形例３に係るＬＥＤモジュールの平面図である。
【図７】図７は、変形例４に係るＬＥＤモジュールの平面図である。
【図８】図８は、変形例４の変形例に係るＬＥＤモジュールの平面図である。
【図９】図９は、変形例４の別の変形例に係るＬＥＤモジュールの平面図である。
【発明を実施するための形態】
【００１１】
以下、実施形態に係る照明器具について、図面を参照して詳細に説明する。ただし、実施形態において説明する各図は模式的な図であり、各構成要素の大きさ及び厚さそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１２】
（実施形態）
実施形態に係る照明器具３は、図１及び図２に示すように、光源ユニット２と、光源ユニット２を支持する器具本体４とを有している。光源ユニット２は、天井に直付けされる器具本体４に着脱可能に取り付けられる。ただし、器具本体４は、天井に埋め込まれてもよいし、あるいは、壁に直付けされてもよいし、壁に埋め込まれてもよい。
【００１３】
器具本体４は、下面が開放された矩形箱状の収容部４０と、収容部４０の長手方向に沿った両側の開口端縁より斜め上向きに突出する一対の反射板４１と、収容部４０及び一対の反射板４１の長手方向の両端に設けられた一対のエンド板４２とを備える（図２参照）。器具本体４は、収容部４０の底面に設けられている複数の取付孔４００のうちの少なくともいずれか２つの取付孔４００に吊りボルト（不図示）がそれぞれ挿通され、それらの吊りボルトにナット（不図示）が締め付けられることで天井に設置される。また、収容部４０の底面に設けられている複数の電源孔４０１のうちのいずれか一つの電源孔４０１に電源線が挿通される。電源孔４０１に挿通された電源線は、端子台（不図示）を介して、点灯装置１と電気的に接続される。
【００１４】
光源ユニット２は、図２に示すように、点灯装置１と、点灯装置１によって点灯させられる複数（例えば２つ）のＬＥＤモジュール２２（光源モジュール）とを備えている。また、光源ユニット２は、取付部材２１と、カバー２３とを備えることが好ましい。２つのＬＥＤモジュール２２を区別する場合は、２つのＬＥＤモジュール２２をＬＥＤモジュール２２Ｓ，２２Ｔと記載する。
【００１５】
ＬＥＤモジュール２２は、複数（例えば多数）の第１ＬＥＤ（Light Emitting Diode）２２０（第１光源）と、１つ以上（例えば１つ）の第２ＬＥＤ２２４（第２光源）と、基板２２１と、中継コネクタ２２３とを備えている。基板２２１は、矩形形状（例えば長尺の矩形板状）に形成されている。
【００１６】
複数の第１ＬＥＤ２２０は、照明器具３の照明光を放射するためのＬＥＤであり、基板２２１の一方の主面２２１ｄの法線Ａ２方向に光を放射可能である。複数の第１ＬＥＤ２２０は、例えば、白色の光を放射する照明用白色ＬＥＤである。複数の第１ＬＥＤ２２０は、例えば、パッケージ型又はチップオンボード型のＬＥＤである。複数の第１ＬＥＤ２２０は、基板２２１の一方の主面２２１ｄにおける短手方向Ｈ２の中央に、基板２２１の長手方向Ｈ１に沿って等間隔に一列に並べて実装されている。なお、本実施形態では、複数の第１ＬＥＤ２２０は、基板２２１の幅方向に一列に並ぶが、基板２２１の幅方向に複数列並んでもよい。
【００１７】
第２ＬＥＤ２２４は、隣り合うＬＥＤモジュール２２の間の部分を照らすためのＬＥＤであり、基板２２１における長手方向Ｈ１の両側の側方のうちの一方の側方に光を放射可能である。第２ＬＥＤ２２４は、サイドビューＬＥＤと呼ばれる場合がある。第２ＬＥＤ２２４は、第１ＬＥＤ２２０の光色（例えば白色）と同じ光色の光を放射する照明用ＬＥＤである。第２ＬＥＤ２２４は、例えば、パッケージ型又はチップオンボード型のＬＥＤである。第２ＬＥＤ２２４は、基板２２１の一方の主面２２１ｄにおける長手方向Ｈ１の縁部２２１ｆに設けられている。
【００１８】
中継コネクタ２２３は、それぞれのＬＥＤモジュール２２の基板２２１において、２つのＬＥＤモジュール２２同士が基板２２１の長手方向Ｈ１に沿って隣り合う側の端部にそれぞれ実装されている。一方のＬＥＤモジュール２２Ｔは、入力コネクタ２２２を更に備えている。入力コネクタ２２２は、ＬＥＤモジュール２２Ｔの基板２２１の一方の主面２２１ｄにおいて、中継コネクタ２２３が実装されている側と反対側の縁部２２１ｅに実装されている。
【００１９】
取付部材２１は、金属板によって長尺の角樋状に形成されている。取付部材２１は、長尺の矩形板状の底板２１０と、底板２１０の長手方向に沿った両端から上向きに立ち上がる一対の側板２１１とを有している。複数のＬＥＤモジュール２２は、互いの中継コネクタ２２３同士が電気的に接続された状態で、底板２１０から切り起こされている複数の爪によって底板２１０の下面に取り付けられている。なお、ＬＥＤモジュール２２Ｔの入力コネクタ２２２は、電線によって点灯装置１の出力用のコネクタと電気的に接続される。
【００２０】
カバー２３は、アクリル樹脂やポリカーボネート樹脂などの透光性を有する合成樹脂によって半円筒形状に形成されている。また、カバー２３は、長手方向に沿って上向きに突出する一対の突壁２３３を有している。カバー２３は、一対の突壁２３３の間に取付部材２１を収容し、取付部材２１の一対の側板２１１の先端（上端）に、一対の突壁２３３の先端（上端）に形成されている引掛部が引っ掛けられることで取付部材２１に取り付けられる。  点灯装置１は、プリント回路板１９と、プリント回路板１９を収容するケース１８とを有する。プリント回路板１９は、長方形状のプリント配線板に集積回路を含む種々の電子部品が実装されて構成されている。ケース１８は、金属板により、一面（下面）が開口した長尺の矩形箱状に形成されている。ケース１８は、プリント回路板１９を収容し、開口面を底板２１０の上面に向けるようにして取付部材２１に固定される。なお、ケース１８は、取付部材２１に固定された状態において、取付部材２１と電気的に接続されている。さらに、取付部材２１は、光源ユニット２が器具本体４に取り付けられた状態において器具本体４と電気的に接続されている。したがって、点灯装置１のケース１８は、取付部材２１を通して器具本体４と電気的に接続される。
【００２１】
図３を参照して、ＬＥＤモジュール２２（２２Ｓ，２２Ｔ）について更に詳しく説明する。なお、図３中の矢印Ｈ１は、基板２２１の長手方向であり、基板２２１の一方の主面２２１ｄの長手方向でもある。図３中の矢印Ｈ２は、基板２２１の短手方向であり、基板２２１の一方の主面２２１ｄの短手方向でもある。
【００２２】
ＬＥＤモジュール２２は、上述の通り、基板２２１と、複数（例えば多数）の第１ＬＥＤ２２０（第１光源）と、１つ以上（例えば１つ）の第２ＬＥＤ２２４（第２光源）と、複数（例えば２つ）の中継コネクタ２２３（接続部）を備えている。
【００２３】
基板２２１は、長尺の矩形板状である。基板２２１は、厚さ方向の両側に主面２２１ｕ，２２１ｄを有する。基板２２１の一方の主面（例えば下面）２２１ｄに、複数の第１ＬＥＤ２２０、１つの第２ＬＥＤ２２４及び２つの中継コネクタ２２３が設けられている。
【００２４】
複数の第１ＬＥＤ２２０は、基板２２１の一方の主面２２１ｄにおける短手方向Ｈ２の中央に、基板２２１の長手方向Ｈ１に沿って等間隔に一列に並べて設けられている。すなわち、複数の第２ＬＥＤ２２４は、仮想の直線Ｌ２に沿って並んでいる。仮想の直線Ｌ２は、基板２２１の長手方向Ｈ１に沿って伸びている。複数の第１ＬＥＤ２２０の両側の一番端の第１ＬＥＤ２２０Ａ，２２０Ｂは、基板２２１の長手方向Ｈ１の両側の端部２２１ａ，２２１ｂの付近に配置されている。
【００２５】
複数の第１ＬＥＤ２２０の光軸Ａ１は、基板２２１の厚さ方向の両外側のうち一方の主面２２１ｄの側の外側に向けられている。この場合、光軸Ａ１は、基板２２１の一方の主面２２１ｄの法線Ａ２に平行であってもよいし、又は、光軸Ａ１は、第１ＬＥＤ２２０の光が基板２２１の厚さ方向の両外側のうち一方の主面２２１ｄ側の外側に光を放射できる範囲で、法線Ａ２から傾斜していてもよい。本実施形態では、複数の第１ＬＥＤ２２０の光軸Ａ１は、基板２２１の一方の主面２２１ｄの法線Ａ２に平行である。すなわち、第１ＬＥＤ２２０の発光面は、基板２２１の一方の主面２２１ｄに平行である。このように、光軸Ａ１が一方の主面２２１ｄの側に向けられていることで、複数の第１ＬＥＤ２２０は、基板２２１の法線Ａ２方向に光を放射可能である。
【００２６】
第２ＬＥＤ２２４は、基板２２１の一方の主面２２１ｄにおける長手方向Ｈ１の縁部２２１ｆに設けられている。第２ＬＥＤ２２４は、基板２２１の縁部２２１ｆにおいて、基板２２１の一方の主面２２１ｄの短手方向Ｈ２の中央に配置されている。なお、縁部２２１ｆは、基板２２１の一方の主面２２１ｄにおける長手方向Ｈ１の両側の縁部２２１ｅのうち、他のＬＥＤモジュール２２の基板２２１の縁部２２１ｅと隣り合う縁部である。すなわち、第２ＬＥＤ２２４は、複数のＬＥＤモジュール２２の各々の基板２２１における互いに隣り合う縁部２２１ｆに設けられている。本実施形態では、基板２２１の両側の縁部２２１ｅのうち一方の縁部２２１ｅのみに、他のＬＥＤモジュール２２の基板２２１の縁部２２１ｅが隣り合っている。このため、本実施形態では、基板２２１の両側の縁部２２１ｅのうち一方の縁部２２１ｆのみに、第２ＬＥＤ２２４が設けられている。ただし、基板２２１の両側の縁部２２１ｅの各々に、他のＬＥＤモジュール２２の基板２２１の縁部２２１ｅが隣り合う場合は、基板２２１の両側の縁部２２１ｅの各々に、第２ＬＥＤ２２４が設けられる。
【００２７】
第２ＬＥＤ２２４の光軸Ａ３は、基板２２１における長手方向Ｈ１の両外側のうち、第２ＬＥＤ２２４が設けられた縁部２２１ｆ側の外側に向けられている。この場合、光軸Ａ３は、基板２２１における長手方向Ｈ１に平行な方向に向けられていてもよい。また、第２ＬＥＤ２２４の光が基板２２１における長手方向Ｈ１の両外側のうちの縁部２２１ｆ側の外側を照らすことができる範囲で、光軸Ａ３は、基板２２１の厚さ方向における平面視（以下、単に「基板２１１の平面視」と記載する。）で、基板２２１の長手方向Ｈ１に交差する方向（例えば長手方向Ｈ１から±６０度傾いた方向）に向けられていてもよい。本実施形態では、第２ＬＥＤ２２４の光軸Ａ３は、例えば、基板２２１の平面視で、基板２２１の長手方向Ｈ１に平行である。また、第２ＬＥＤ２２４の光軸Ａ３は、例えば、基板２２１の側面視で（すなわち基板２２１の短手方向Ｈ２から見て）、基板２２１の一方の主面２２１ｄに平行である。すなわち、第２ＬＥＤ２２４の発光面は、基板２２１の一方の主面２２１ｄに直交し、かつ、基板２２１における長手方向Ｈ１の両外側のうち、第２ＬＥＤ２２４が設けられた縁部２２１ｆ側の外側に対向している。
【００２８】
第２ＬＥＤ２２４の光軸Ａ３は、中継コネクタ２２３に交わらない方向（換言すれば当たらない方向）に向けられている。より詳細には、本実施形態では、２つの中継コネクタ２２３は、縁部２２１ｆにおける短手方向Ｈ２の両端側に配置されており、第２ＬＥＤ２２４は、２つの中継コネクタ２２３の間に配置されている。この配置状態で、第２ＬＥＤ２２４の光軸Ａ３は、基板２２１における長手方向Ｈ１の縁部２２１ｆ側の外側に向けられている。これにより、第２ＬＥＤ２２４の光軸Ａ３は、中継コネクタ２２３に交わらない方向に向けられている。
【００２９】
複数のＬＥＤモジュール２２は、基板２２１の長手方向Ｈ１に沿って一列に並んでいる。複数のＬＥＤモジュール２２の各々の基板２２１の長手方向Ｈ１の縁部２２１ｆは、互いに隣り合っている。隣り合うＬＥＤモジュール２２における隣り合う縁部２２１ｆの各々に、第２ＬＥＤ２２４が設けられている。これら各第２ＬＥＤ２２４は、互いに対向している。すなわち、これら各第２ＬＥＤ２２４は、基板２２１の長手方向Ｈ１に沿って隣り合っている。本実施形態では、それら各第２ＬＥＤ２２４は、それらの光軸Ａ３の方向も含めて、互いに鏡像対称となるように配置されている。なお、本実施形態では、更に、それら各第２ＬＥＤ２２４は、隣り合うＬＥＤモジュール２２の間の中心を通りかつ基板２２１の法線Ａ２に平行な仮想の直線Ｌ１に対して軸対称に配置されている。
【００３０】
隣り合うＬＥＤモジュール２２における隣り合う一番端の第１ＬＥＤ２２０Ａ，２２０Ｂの間隔Ｄ１は、各基板２２１内の隣り合う第１ＬＥＤ２２０の間隔Ｄ２よりも大きくてもよい。
【００３１】
次に照明器具３の動作を説明する。
【００３２】
複数のＬＥＤモジュール２２の各々の複数の第１ＬＥＤ２２０は、基板２２１の法線Ａ２方向に光を放射する（図２参照）。これらの光は、カバー２３を透過して外部に照明光として放射される。また、基板２２１の縁部２２１ｆに設けられた第２ＬＥＤ２２４は、基板２２１における長手方向Ｈ１の両外側のうちの縁部２２１ｆ側の外側に光を放射する（図３参照）。この光は、縁部２２１ｆに隣り合う他のＬＥＤモジュール２２の基板２２１の縁部２２１ｆを照らす。すなわち、第２ＬＥＤ２２４が放射する光によって、隣り合うＬＥＤモジュール２２の間の部分が照らされる。より詳細には、第２ＬＥＤ２２４が放射する光は、隣のＬＥＤモジュール２２の縁部２２１ｆにてカバー２３側に反射され、カバー２３を透過して外部に照明光として放射される。これにより、間隔Ｄ１が間隔Ｄ２よりも大きくても、隣り合うＬＥＤモジュール２２の間の部分（すなわち間隔Ｄ１の部分）の光束密度の低下を抑制できる。この結果、複数のＬＥＤモジュール２２全体の明るさのムラを低減できる。すなわち、照明器具３の照明光の明るさのムラを低減できる。
【００３３】
また、第２ＬＥＤ２２４の光軸Ａ３は、基板２２１の平面視で、基板２２１の長手方向Ｈ１に平行である（図３参照）。このため、第２ＬＥＤ２２４は、隣り合うＬＥＤモジュール２２の間の部分において、第２ＬＥＤ２２４の配置場所における長手方向Ｈ１の隣の場所を効果的に照らすことができる。
【００３４】
また、第２ＬＥＤ２２４は、基板２２１における短手方向Ｈ２の中央に配置されている（図３参照）。このため、第２ＬＥＤ２２４は、隣り合うＬＥＤモジュール２２の間の部分における短手方向Ｈ２の中央を効果的に照らすことができる。
【００３５】
また、第２ＬＥＤ２２４の光軸Ａ３は、中継コネクタ２２３に交わらない方向に向いている（図３参照）。このため、第２ＬＥＤ２２４からの光が中継コネクタ２２３に遮られることを抑制できる。これにより、第２ＬＥＤ２２４は、隣り合うＬＥＤモジュール２２の間の部分を効果的に照らすことができる。
【００３６】
また、隣り合うＬＥＤモジュール２２における隣り合う縁部２２１ｆにはそれぞれ、第２ＬＥＤ２２４が設けられている（図３参照）。すなわち、それら各第２ＬＥＤ２２４は、基板２２１の長手方向Ｈ１に沿って隣り合っている。このため、隣り合うＬＥＤモジュール２２の間の部分をこの部分の両側から照らすことができる。この結果、隣り合うＬＥＤモジュール２２の間の部分の光束密度のムラをより一層抑制できる。
【００３７】
また、隣り合うＬＥＤモジュール２２の各々の第２ＬＥＤ２２４は、光軸Ａ３の向きも含めて、互いに鏡像対称となるように配置されている（図３参照）。このため、隣り合うＬＥＤモジュール２２の間の部分の光束密度のムラを効果的に抑制できる。なお、本実施形態では、隣り合うＬＥＤモジュール２２の各々の第２ＬＥＤ２２４は、隣り合うＬＥＤモジュール２２の間の中心を通りかつ基板２２１の法線Ａ２に平行な仮想の直線Ｌ１に対して軸対称にも配置されている（図３参照）。これによっても、隣り合うＬＥＤモジュール２２の間の部分の光束密度のムラを効果的に抑制できる。
【００３８】
なお、本実施形態では、２つのＬＥＤモジュール２２が備えられる場合を例示するが、３つ以上のＬＥＤモジュール２２が備えられていてもよい。この場合は、少なくとも１組の隣り合うＬＥＤモジュール２２における隣り合う縁部２２１ｆの各々に、第２ＬＥＤ２２４が設けられればよい。この場合も、隣り合うＬＥＤモジュール２２の間の部分の光束密度の低下を抑制できる。
【００３９】
（実施形態の変形例）
以下、上記の実施形態の変形例について説明する。以下の説明では、上記の実施形態と同じ構成要素については、同じ符号を付して説明を省略する場合がある。なお、上記の実施形態の変形例の組み合わせも実施可能である。
【００４０】
（変形例１）
上記の実施形態では、第２ＬＥＤ２２４は、基板２２１の縁部２２１ｆにおける短手方向Ｈ２の中央に１つだけ設けられる。ただし、図４に示すように、第２ＬＥＤ２２４は、基板２２１の縁部２２１ｆにおいて、短手方向Ｈ２に沿って複数（例えば２つ）設けられてもよい。図４の例示では、上記の２つの第２ＬＥＤ２２４は、仮想の直線Ｌ２から、仮想の直線Ｌ２に直交する方向にずれた位置に配置されている。より詳細には、上記の２つの第２ＬＥＤ２２４は、仮想の直線Ｌ２に直交する方向において、互いに反対方向にずれた位置に配置されている。なお、仮想の直線Ｌ２は、複数の第１ＬＥＤ２２０が並ぶ線である。また、本実施形態では、上記の２つの第２ＬＥＤ２２４は、仮想の直線Ｌ２に対して対称的な配置となるように配置されている。
【００４１】
本変形例でも、上記の実施形態と同様に、複数の第２ＬＥＤ２２４の光軸Ａ３は、基板２２１の平面視で、基板２２１における長手方向Ｈ１に平行であり、基板２２１の側面視で、基板２２１の一方の主面２２１ｄに平行である。また、本変形例でも、隣り合うＬＥＤモジュール２２における隣り合う縁部２２１ｆの各々に、複数（例えば２つ）の第２ＬＥＤ２２４が設けられている。隣り合うＬＥＤモジュール２２の各々の２つの第２ＬＥＤ２２４は、それらの光軸Ａ３の方向に含めて、互いに鏡像対称となるように配置されている。
【００４２】
なお、本変形例では、隣り合うＬＥＤモジュール２２の各々の２つの第２ＬＥＤ２２４は、仮想の直線Ｌ１に対して軸対称となるようにも配置されている。なお、仮想の直線Ｌ１は、隣り合うＬＥＤモジュール２２の間の中心を通り、基板２２１の一方の主面２２１ｄの法線Ａ２に平行な線である。
【００４３】
なお、本変形例では、中継コネクタ２２３は、例えば、基板２２１の両側の主面２２１ｕ，２２１ｄのうち、一方の主面２２１ｄとは反対側の主面２２１ｕに設けられている。
【００４４】
（変形例２）
変形例２では、第２ＬＥＤ２２４の光軸Ａ３は、平面視で、基板２２１の長手方向Ｈ１に平行である。ただし、図５に示すように、第２ＬＥＤ２２４の光軸Ａ３は、基板２２１の平面視で、基板２２１の長手方向Ｈ１に交差していてもよい。より詳細には、第２ＬＥＤ２２４の光軸Ａ３は、基板２２１の平面視で、基板２２１の長手方向Ｈ１に対して基板２２１の短手方向Ｈ２の外側に傾斜していてもよい。本変形例では、第２ＬＥＤ２２４の光軸Ａ３は、基板２２１の長手方向Ｈ１から基板２２１の短手方向Ｈ２の外側に例えば３０度傾斜している。このように、第２ＬＥＤ２２４の光軸Ａ３が、基板２２１の平面視で基板２２１の長手方向Ｈ１に交差することで、第２ＬＥＤ２２４は、隣り合うＬＥＤモジュール２２の間の部分において、第２ＬＥＤ２２４の配置場所における長手方向Ｈ１に交差する方向の隣の場所を効果的に照らすことができる。
【００４５】
なお、本変形例では、第２ＬＥＤ２２４の光軸Ａ３は、基板２２１の平面視で、基板２２１の長手方向Ｈ１に対して基板２２１の短手方向Ｈ２の外側に傾斜しているが、基板２２１の長手方向Ｈ１に対して基板２２１の短手方向Ｈ２の内側に傾斜してもよい。
【００４６】
なお、本変形例では、中継コネクタ２２３は、例えば、基板２２１の両側の主面２２１ｕ，２２１ｄのうち、一方の主面２２１ｄとは反対側の主面２２１ｕに設けられている。
【００４７】
（変形例３）
上記の実施形態では、第２ＬＥＤ２２４は、隣り合うＬＥＤモジュール２２における隣り合う縁部２２１ｆの各々の中央に配置されている。ただし、図６に示すように、第２ＬＥＤ２２４は、隣り合うＬＥＤモジュール２２における隣り合う縁部２２１ｆの各々において、仮想の直線Ｌ２から、仮想の直線Ｌ２の直交する方向（短手方向Ｈ２）における互いに反対方向にずれた位置に、配置されてもよい。これにより、第２ＬＥＤ２２４の照射範囲内に、隣のＬＥＤモジュール２２の第２ＬＥＤ２２４が配置されることを抑制できる。この結果、第２ＬＥＤ２２４が放射する光によって、隣り合うＬＥＤモジュール２２の縁部２２１ｆを効果的に照らすことができる。
【００４８】
なお、本変形例では、隣り合うＬＥＤモジュール２２の各々の第２ＬＥＤ２２４は、仮想の直線Ｌ１に対して軸対称となるように配置されている。なお、仮想の直線Ｌ１は、隣り合うＬＥＤモジュール２２の間の中心を通り、基板２２１の一方の主面２２１ｄの法線Ａ２に平行な線である。
【００４９】
（変形例４）
上記の実施形態では、第２ＬＥＤ２２４は、隣り合うＬＥＤモジュール２２における隣り合う縁部２２１ｆの各々に設けられている。ただし、図７に示すように、第２ＬＥＤ２２４は、隣り合うＬＥＤモジュール２２における隣り合う縁部２２１ｆのうちの一方の縁部２２１ｆのみに設けられてもよい。すなわち、本変形例では、ＬＥＤモジュール２２Ｓは、複数のＬＥＤ２２と１つの第２ＬＥＤ２２４との両方を備えているが、ＬＥＤモジュール２２Ｔは、複数の第１ＬＥＤ２２０と１つの第２ＬＥＤ２２４とのうちの複数の第１ＬＥＤ２２０のみを備えている。なお、第２ＬＥＤ２２４は、縁部２２１ｆにおける短手方向Ｈ２の中央に配置されており、第２ＬＥＤ２２４の光軸Ａ３は、基板２２１の平面視で、基板２２１の長手方向Ｈ１に平行である。
【００５０】
本変形例でも、第２ＬＥＤ２２４によって、隣り合うＬＥＤモジュールの間の部分を照らすことができる。これにより、隣り合うＬＥＤモジュール２２の間の部分の光束密度の低下を抑制できる。
【００５１】
なお、本変形例では、２つのＬＥＤモジュール２２が備えられる場合を例示するが、３つ以上の複数のＬＥＤモジュール２２が備えられていてもよい。この場合は、複数の光源モジュール２２のうちの少なくとも１つが、上記の実施形態のＬＥＤモジュール２２Ｓ又は２２Ｔである。そして、他のＬＥＤモジュール２２は、上記の実施形態の光源モジュール２２Ｓ又は２２Ｔから第２ＬＥＤ２２４を省略した構成である。すなわち、この場合は、上記の複数のＬＥＤモジュール２２の各々は、基板２２１と、複数の第１ＬＥＤ２２０と１つの第２ＬＥＤ２２４とのうちの少なくとも複数の第１ＬＥＤ２２０とを備えている。そして、上記の複数のＬＥＤモジュール２２の各々の基板２２１は、基板２２１の長手方向に沿って並んでいる。
【００５２】
なお、本変形例は、上記の実施形態に適用されるが、変形例１〜３の何れかに適用されてもよい。図８は、本変形例が変形例１に適用された場合の平面図であり、図９は、本変形例が変形例２に適用された場合の平面図である。図８の場合は、第２ＬＥＤ２２４は、ＬＥＤモジュール２２Ｓの縁部２２１ｆにおいて、基板２２１の短手方向Ｈ２に複数（例えば２つ）並んで配置されている。各第２ＬＥＤ２２４の光軸Ａ３は、基板２２１の平面視で、基板２２１の長手方向Ｈ１に平行である。図９の場合は、第２ＬＥＤ２２４は、ＬＥＤモジュール２２Ｓの縁部２２１ｆにおいて、基板２２１の短手方向Ｈ２に複数（例えば２つ）並んで配置されている。各第２ＬＥＤ２２４の光軸Ａ３は、基板２２１の平面視で、基板２２１の長手方向Ｈ１に対して基板の短手方向Ｈ２の外側に傾斜している。
【００５３】
（まとめ）
第１の態様の光源モジュール（２２）は、基板（２２１）と、複数の第１光源（２２０）と、１つ以上の第２光源（２２４）と、を備えている。複数の第１光源（２２０）は、基板（２２１）の一方の主面（２２１ｄ）に設けられ、基板（２２１）の長手方向（Ｈ１）に沿って並んでいる。第２光源（２２４）は、一方の主面（２２１ｄ）における長手方向（Ｈ１）の縁部（２２１ｆ）に設けられている。複数の第１光源（２２０）の光軸（Ａ１）は、基板（２２１）における厚さ方向の両外側のうち一方の主面（２２１ｄ）の側に外側に向けられている。第２光源（２２４）の光軸（Ａ３）は、基板（２２１）における長手方向（Ｈ１）の両外側のうちの縁部（２２１ｆ）の側の外側に向けられている。
【００５４】
この構成によれば、第２光源（２２４）が、基板（２２１）の一方の主面（２２１ｄ）における長手方向（Ｈ１）の縁部（２２１ｆ）に設けられ、第２光源（２２４）の光軸（Ａ３）が、基板（２２１）における長手方向（Ｈ１）の両外側のうちの縁部（２２１ｆ）側の外側に向けられている。このため、複数の光源モジュール（２２）が一列に並べられたときに、第２光源（２２４）は、隣り合う光源モジュール（２２）の間の部分を照らすことができる。これにより、隣り合う光源モジュール（２２）の間の部分の光束密度の低下を抑制できる。この結果、複数の光源モジュール（２２）全体の明るさのムラを低減できる。
【００５５】
第２の態様の光源モジュール（２２）は、第１の態様において、基板（２２１）の縁部（２２１ｆ）は、他の光源モジュール（２２）における複数の光源（２２０）が設けられた基板（２２１）に隣り合わされる。
【００５６】
この構成によれは、複数の光源モジュール（２２）が一列に並べられたときに、第２光源（２２４）が設けられた縁部（２２１ｆ）は、他の光源モジュール（２２）の基板（２２１）に隣り合うことができる。この結果、第２光源（２２４）は、隣り合う光源モジュール（２２）の間の部分を効果的に照らすことができる。
【００５７】
第３の態様の光源モジュール（２２）は、第１又は第２の態様において、第２光源（２２４）の光軸（Ａ３）は、基板（２２１）の厚さ方向における平面視で、基板（２２１）の長手方向（Ｈ１）に平行である。
【００５８】
この構成によれば、複数の光源モジュール（２２）が一列に並べられたときに、第２光源（２２４）は、隣り合う光源モジュール（２２）の間の部分において、第２光源（２２４）の配置場所における長手方向（Ｈ１）の隣の場所を効果的に照らすことができる。
【００５９】
第４の態様の光源モジュール（２２）は、第１又は第２の態様において、第２光源（２２４）の光軸（Ａ３）は、基板（２２１）の厚さ方向における平面視で、基板（２２１）の長手方向（Ｈ１）に交差する。
【００６０】
この構成によれば、複数の光源モジュール（２２）が一列に並べられたときに、第２光源（２２４）は、隣り合う光源モジュール（２２）の間の部分において、第２光源（２２４）の配置場所における長手方向（Ｈ１）に交差する方向の隣の場所を効果的に照らすことができる。
【００６１】
第５の態様の光源モジュール（２２）は、第１〜第４の態様の何れか１つの態様において、第２光源（２２４）は、一方の主面（２２１ｄ）における基板（２２１の）短手方向（Ｈ２）の中央に配置されている。
【００６２】
この構成によれば、複数の光源モジュール（２２）が一列に並べられたときに、第２光源（２２４）は、隣り合う光源モジュール（２２）の間の部分における短手方向（Ｈ２）の中央を効果的に照らすことができる。
【００６３】
第６の態様の光源モジュール（２２）は、第１〜第５の態様の何れか１つの態様において、複数の第１光源（２２０）は、基板（２２１）の厚さ方向における平面視で、基板（２２１）の長手方向（Ｈ１）に延びた仮想の直線（Ｌ２）に沿って並んでいる。第２光源（２２４）は、基板（２２１）の平面視で、仮想の直線（Ｌ２）から、仮想の直線（Ｌ２）に直交する方向（短手方向Ｈ２）にずれた位置に配置されている。
【００６４】
この構成によれば、一番端の第１光源（２２０Ａ，２２０Ｂ）から、この第１光源（２２０Ａ，２２０Ｂ）に隣り合う縁部（２２１ｆ）側に放射された光が、第２光源（２２４）によって遮られることを抑制できる。これにより、一番端の第１光源（２２０Ａ，２２０Ｂ）によっても、隣り合う光源モジュール（２２）の間の部分を効果的に照らすことができる。
【００６５】
第７の態様の光源モジュール（２２）は、第１〜第６の態様の何れか１つの態様において、接続部（２２３）を更に備えている。接続部（２２３）は、外部（他の光源モジュール２２）からの配線が電気的に接続可能である。接続部（２２３）は、一方の主面（２２１ｄ）の縁部（２２１ｆ）に設けられている。第２光源（２２４）の光軸（Ａ３）は、接続部（２２３）に交わらない方向に向いている。
【００６６】
この構成によれば、第２光源（２２４）からの光が接続部（２２３）に遮られることを抑制できる。これにより、複数の光源モジュール（２２）が一列に並べられたときに、第２光源（２２４）は、隣り合う光源モジュール（２２）の間の部分を効果的に照らすことができる。
【００６７】
第８の態様の光源ユニット（２）は、複数の光源モジュール（２２）を備えている。複数の光源モジュール（２２）のうちの少なくとも１つは、第１〜第７の態様の何れか１つの態様の光源モジュール（２２）である。複数の光源モジュール（２２）の各々は、基板（２２１）と、複数の第１光源（２２０）と第２光源（２２４）とのうちの少なくとも複数の第１光源（２２０）と、を備えている。複数の光源モジュール（２２）の各々の基板（２２１）は、基板（２２１）の長手方向（Ｈ１）に沿って並んでいる。
【００６８】
この構成によれば、一列に並んだ複数の光源モジュール（２２）を備える光源ユニット（２）において、光源モジュール（２２）の上記の効果を奏することができる。
【００６９】
第９の態様の光源ユニット（２）は、第８の態様において、複数の光源モジュール（２２）のうちの少なくとも１組の隣り合う光源モジュール（２２）における隣り合う縁部（２２１ｆ）にはそれぞれ、第２光源（２２４）が設けられている。
【００７０】
この構成によれば、第２光源（２２４）によって、隣り合う光源モジュール（２２）の間の部分をこの部分の両側から照らすことができる。
【００７１】
第１０の態様の光源ユニット（２）は、第９の態様において、隣り合う光源モジュール（２２）の各々の第２光源（２２４）は、基板（２２１）の長手方向（Ｈ１）に沿って互いに隣り合っている。
【００７２】
この構成によれば、隣り合う光源モジュール（２２）の間の部分をこの部分の両側から照らすことができる。
【００７３】
第１１の態様の光源ユニット（２）では、第９の態様において、複数の第１光源（２２０）は、基板（２２１）の厚さ方向の平面視で、基板（２２１）の長手方向（Ｈ１）に延びた仮想の直線（Ｌ２）に沿って並んでいる。隣り合う光源モジュール（２２）の各々の第２光源（２２４）は、基板（２２１）の平面視で、仮想の直線（Ｌ２）から、仮想の直線（Ｌ２）に直交する方向（短手方向Ｈ２）における互いに反対方向にずれた位置に配置されている。
【００７４】
この構成によれば、第２光源（２２４）の照射範囲内に、隣の光源モジュール（２２）の第２光源（２２４）が配置されることを抑制できる。これにより、第２光源（２２４）が放射する光によって、隣り合う光源モジュール（２２）の基板（２２１）の縁部（２２１ｆ）を効果的に照らすことができる。
【００７５】
第１２の態様の光源ユニット（２）では、第９の態様において、隣り合う光源モジュール（２２）の各々の第２光源（２２４）は、互いに鏡像対称となるように配置されているか、又は、隣り合う光源モジュール（２２）の間の中心を通りかつ基板（２２１）の法線（Ａ２）に平行な仮想の直線（Ｌ１）に対して軸対称に配置されている。
【００７６】
この構成によれは、隣り合う光源モジュール（２２）の間の部分の光束密度のムラを効果的に抑制できる。
【００７７】
第１３の態様の照明器具（３）は、第８〜第１２の態様の何れか１つの態様の光源ユニット（２）と、光源ユニット（２）を支持する器具本体（４）と、を備えている。
【００７８】
この構成によれば、照明器具（３）の照明光の明るさのムラを低減できる。
【符号の説明】
【００７９】
２  光源ユニット
３  照明器具
４  器具本体
２２  ＬＥＤモジュール（光源モジュール）
２２０  第１ＬＥＤ（第１光源）
２２１  基板
２２１ｄ  一方の主面
２２１ｆ  縁部
２２３  中継コネクタ（接続部）
２２４  第２ＬＥＤ（第２光源）
Ｌ１，Ｌ２  仮想の直線
Ｈ１  長手方向
Ｈ２  短手方向
【図１】
2020119869.tif 000003
【図２】
2020119869.tif 000004
【図３】
2020119869.tif 000005
【図４】
2020119869.tif 000006
【図５】
2020119869.tif 000007
【図６】
2020119869.tif 000008
【図７】
2020119869.tif 000009
【図８】
2020119869.tif 000010
【図９】
2020119869.tif 000011